【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
互いに並列接続された複数の差動増幅回路の各々に映像信号を入力すると共に、これらの複数の差動増幅回路から出力された複数の出力信号を混合して、前記映像信号に対してガンマ補正が行われた映像信号を出力するガンマ補正回路であって、
前記複数の差動増幅回路の各々が、前記複数の出力信号を混合した信号が２つの変曲点でゲイン特性が変わるように、前記入力された映像信号を異なるゲイン特性で増幅して出力するように構成されている
ことを特徴とするガンマ補正回路。
【請求項２】
前記複数の差動増幅回路は、
前記映像信号を一定のゲインで増幅する第１の差動増幅回路と、
前記映像信号が第１の設定値より小さい場合に前記映像信号をゼロまたは正のゲインで増幅する第２の差動増幅回路と、
前記映像信号が第１の設定値より大きい場合に前記映像信号を負のゲインで増幅する第３の差動増幅回路と、
前記映像信号が第２の設定値より小さい場合に前記映像信号を負のゲインで増幅する第４の差動増幅回路と
を有すること特徴とする請求項１記載のガンマ補正回路。
【請求項３】
前記映像信号は、色表示の基本となる３原色信号からなる信号である
ことを特徴とする請求項１記載のガンマ補正回路。
【請求項４】
前記複数の差動増幅回路は、入力された信号を増幅するプリアンプと、このプリアンプによって増幅された信号を更に増幅するメインアンプとを備えた表示装置における前記プリアンプの前段に配置され、前記プリアンプに入力される映像信号に対してガンマ補正処理を行う
ことを特徴とする請求項１記載のガンマ補正回路。
【請求項５】
前記第１の差動増幅回路は、エミッタが抵抗素子を介して共通に接続された第１および第２のトランジスタからなり、前記第１のトランジスタのベースに前記映像信号が、前記第２のトランジスタのベースに第１の基準電圧が入力され、前記第２のトランジスタのコレクタが出力端子に接続されている
ことを特徴とする請求項２記載のガンマ補正回路。
【請求項６】
前記第２の差動増幅回路は、エミッタが抵抗素子を介して共通に接続された第３および第４のトランジスタからなり、前記第３のトランジスタのベースに前記映像信号が、前記第４のトランジスタのベースに第２の基準電圧が入力され、前記第４のトランジスタのコレクタが出力端子に接続されている
ことを特徴とする請求項２記載のガンマ補正回路。
【請求項７】
前記第３の差動増幅回路は、エミッタが抵抗素子を介して共通に接続された第５および第６のトランジスタからなり、前記第５のトランジスタのベースに前記映像信号が、前記第６のトランジスタのベースに第２の基準電圧が入力され、前記第５のトランジスタのコレクタが出力端子に接続されている
ことを特徴とする請求項２記載のガンマ補正回路。
【請求項８】
前記第４の差動増幅回路は、エミッタが抵抗素子を介して共通に接続された第７および第８のトランジスタからなり、前記第７のトランジスタのベースに前記映像信号が、前記第８のトランジスタのベースに第３の基準電圧が入力され、前記第７のトランジスタのコレクタが出力端子に接続されている
ことを特徴とする請求項２記載のガンマ補正回路。
【請求項９】
黒レベル側の信号を下げ、白レベル側の信号を上げるような補正を行うようになされている
ことを特徴とする請求項１記載のガンマ補正回路。
【請求項１０】
前記第１の差動増幅回路は、エミッタが抵抗素子を介して共通に接続された第１および第２のトランジスタからなり、前記第１のトランジスタのベースに前記映像信号が、前記第２のトランジスタのベースに第１の基準電圧が入力され、前記第２のトランジスタのコレクタが出力端子に接続され、
前記第２の差動増幅回路は、エミッタが抵抗素子を介して共通に接続された第３および第４のトランジスタからなり、前記第３のトランジスタのベースに前記映像信号が、前記第４のトランジスタのベースに第２の基準電圧が入力され、前記第４のトランジスタのコレクタが出力端子に接続され、
前記第３の差動増幅回路は、エミッタが抵抗素子を介して共通に接続された第５および第６のトランジスタからなり、前記第５のトランジスタのベースに前記映像信号が、前記第６のトランジスタのベースに第２の基準電圧が入力され、前記第５のトランジスタのコレクタが出力端子に接続され、
前記第４の差動増幅回路は、エミッタが抵抗素子を介して共通に接続された第７および第８のトランジスタからなり、前記第７のトランジスタのベースに前記映像信号が、前記第８のトランジスタのベースに第３の基準電圧が入力され、前記第７のトランジスタのコレクタが出力端子に接続されている
ことを特徴とする請求項２記載のガンマ補正回路。
【請求項１１】
前記第３の基準電圧の値は、前記第２の基準電圧の値よりも低い
ことを特徴とする請求項１０記載のガンマ補正回路。
【請求項１２】
互いに並列接続された複数の差動増幅回路の各々に映像信号を入力すると共に、これらの複数の差動増幅回路から出力された複数の出力信号を混合して、前記映像信号に対してガンマ補正が行われた映像信号を出力するガンマ補正回路を備えた映像表示装置であって、
前記ガンマ補正回路における前記複数の差動増幅回路の各々が、前記複数の出力信号を混合した信号が２つの変曲点でゲイン特性が変わるように、前記入力された映像信号を異なるゲイン特性で増幅して出力するように構成されている
ことを特徴とする映像表示装置。
【手続補正２】
【補正対象書類名】明細書
【補正対象項目名】０００２
【補正方法】変更
【補正の内容】
【０００２】
【従来の技術】
図９は、従来のコンピュータ用のディスプレイ装置（コンピュータディスプレイ装置）の概略の構成を示すブロック図である。この図に示したコンピュータディスプレイ装置は、赤（Ｒ）、緑（Ｇ）、青色（Ｂ）の各色信号ＳR，ＳG，ＳB（以下、これらの三原色信号を総称して信号Ｓiと記す。）からなる映像信号が入力される映像信号処理回路１０１と、水平同期信号Ｓhおよび垂直同期信号ＳVが入力される偏向処理回路１０２と、映像信号処理回路１０１からの出力信号と偏向処理回路１０２からの出力信号とが入力される陰極線管（以下、CRT;Cathode Ray Tubeという。）１０３とを備えている。ＣＲＴ１０３は、図示しないが、Ｒ，Ｇ，Ｂの各色用のカソードを備えた電子銃や、カソードから放出された電子ビームを水平、垂直方向に偏向するための偏向ヨーク等を有している。
【手続補正３】
【補正対象書類名】明細書
【補正対象項目名】０００４
【補正方法】変更
【補正の内容】
【０００４】
このコンピュータディスプレイ装置では、ＣＲＴ１０３が、映像信号処理回路１０１からの出力信号と偏向処理回路１０２からの出力信号とに基づいて電子ビームを生成すると共に、図示しない蛍光面にその生成した電子ビームを照射して映像を表示する。
【手続補正４】
【補正対象書類名】明細書
【補正対象項目名】０００８
【補正方法】変更
【補正の内容】
【０００８】
【課題を解決するための手段】
本発明によるガンマ補正回路は、互いに並列接続された複数の差動増幅回路の各々に映像信号を入力すると共に、これらの複数の差動増幅回路から出力された複数の出力信号を混合して、映像信号に対してガンマ補正が行われた映像信号を出力するガンマ補正回路であって、複数の差動増幅回路の各々が、複数の出力信号を混合した信号が２つの変曲点でゲイン特性が変わるように、入力された映像信号を異なるゲイン特性で増幅して出力するように構成されたものである。
また、本発明による映像表示装置は、本発明によるガンマ補正回路を備えたものである。
【手続補正５】
【補正対象書類名】明細書
【補正対象項目名】００３３
【補正方法】変更
【補正の内容】
【００３３】
以上説明したように、本発明のガンマ補正回路または映像表示装置によれば、複数の差動増幅回路の各々が、複数の差動増幅回路から出力された複数の出力信号を混合した信号が２つの変曲点でゲイン特性が変わるように、入力された映像信号を異なるゲイン特性で増幅するようにしたので、コンピュータディスプレイ装置等の表示装置に最適なガンマ補正を行うことができるという効果を奏する。